(57)【特許請求の範囲】
【請求項１】
構造物の壁面部に配設される、可撓性を有するシート状の導水カバー体と、
前記導水カバー体を前記壁面部に押付けて固定する固定手段と、を含む導水装置であって、
前記導水カバー体は、
可撓性を有する軟質の合成樹脂から成る基材シートと、
前記基材シートに積層され、前記固定手段による前記壁面部への押付け力によって変形可能な補強部材と、
前記補強部材と前記基材シートとを接合する接合材と、を備え、
前記基材シートは、ＪＩＳ Ｋ ６２４９に規定されたデュロメータＡ硬度計による硬さが、２０以上、８０以下のシリコーンゴム製の、厚さが０．４ｍｍ〜１．０ｍｍのシートから成り、
前記補強部材は、厚さが０．２〜０．５ｍｍの金属製の網状体から成り、
前記接合材は、粘着性を有する樹脂から成ることを特徴とする導水装置。
【請求項２】
前記固定手段は、前記導水カバー体を貫通して前記構造物に埋設されたアンカー体と、前記アンカー体に螺着され、前記導水カバー体を前記壁面部に押し付けて保持するねじ部材と、を有していることを特徴とする請求項１に記載の導水装置。
【発明の詳細な説明】
【技術分野】
【０００１】
本発明は、トンネルおよび擁壁などの構造物の凹凸のある壁面に設けられ、構造物の目地および亀裂などから流れ出た水を、排水渠などの排水設備へ導くために好適に実施することができる導水装置に関する。
【背景技術】
【０００２】
従来技術の導水装置は、たとえば特許文献１に示されている。この従来技術では、トンネルの壁面に、道路軸線方向に５００ｍｍ毎に等間隔をあけて平行に設けられる一対の長手の保持具と、各保持具に幅方向両側部が保持される導水受板と、を備える。
【０００３】
各保持具は、合成樹脂製の保持体と、保持体の幅方向両側部に設けられる一対のシール部材とを有する。各保持体の幅方向両側部間の幅方向中間部には、構造物の壁面とは反対側の空間に臨んで開放した凹所が長手方向に延びて形成される。各保持体の凹所内には、構造物に打ち込まれたアンカー体の頭部が突出し、この頭部にナットが螺着されて、各保持具が壁面に固定される。構造物は、道路トンネルの覆工コンクリート壁であって、壁面に固定された各保持具は、覆工コンクリート壁の壁面の目地部の両側に、各保持具が配置されるように、位置決めされる。
【０００４】
各保持具の凹所は、構造物の壁面とは反対側のトンネル内の空間に臨んで開放し、この凹所の幅方向両側には、幅方向外側方に臨んで開放する凹状の一対の嵌合保持部が設けられる。各嵌合保持部には、導水受板の幅方向一側部および幅方向他側部がそれぞれ嵌まり込んで保持され、各導水受板と壁面との間に水密な導水空間が形成される。
【０００５】
導水空間には、覆工コンクリート壁の目地部および亀裂などから漏出した地下水が流れ込んで集水される。導水空間内に流れ込んだ水は、導水装置の長手方向両側の下端部の開口に導かれて、路面両側の路側帯に設けられる上部排水溝に排出される。上部排水溝の下には、暗渠排水溝が設けられ、暗渠排水溝内の水は、図示しない排水管へ導かれて河川などへ放流される。
【０００６】
各保持体は、硬質ポリ塩化ビニルなどの硬質合成樹脂の押出し形材から成る長尺材によって実現される。またシール部材は、独立気泡の発泡合成樹脂と合成ゴムとの２層構造の長尺材によって実現される。また導水受板は、耐侯性および耐薬品性を有する硬質合成樹脂からなり、厚みが２ｍｍ程度の帯状パネルによって実現される。
【先行技術文献】
【特許文献】
【０００７】
【特許文献１】特許第２９１６４０７号公報
【発明の概要】
【発明が解決しようとする課題】
【０００８】
上記の特許文献１に記載される従来技術では、保持体が硬質ポリ塩化ビニルの押出し形材から成り、導水受板が耐侯性および耐薬品性を有するアクリル樹脂と硬質ポリ塩化ビニルとが混合された合成樹脂から成る。そのため、各保持体および導水受板が取付けられる構造物が、補修工事などによって地山にコンクリートを吹付けて構築された覆工コンクリート壁である場合には、その壁面は大きさの異なる多数の凹凸を有し、シール部材の変形によって吸収できない程度に大きな凹凸がある場合には、壁面と導水装置との間に水密な導水空間を形成することができないという問題がある。
【０００９】
本発明の目的は、導水装置の凹凸を有する壁面であっても、水密な導水空間を形成することができる導水装置を提供することである。
【課題を解決するための手段】
【００１０】
本発明は、構造物の壁面部に配設される、可撓性を有するシート状の導水カバー体と、
前記導水カバー体を前記壁面部に押付けて固定する固定手段と、を含む導水装置であって、
前記導水カバー体は、
可撓性を有する軟質の合成樹脂から成る基材シートと、
前記基材シートに積層され、前記固定手段による前記壁面部への押付け力によって変形可能な補強部材と、
前記補強部材と前記基材シートとを接合する接合材と、を備え、
前記基材シートは、ＪＩＳ Ｋ ６２４９に規定されたデュロメータＡ硬度計による硬さが、２０以上、８０以下のシリコーンゴム製の、厚さが０．４ｍｍ〜１．０ｍｍのシートから成り、
前記補強部材は、厚さが０．２〜０．５ｍｍの金属製の網状体から成り、
前記接合材は、粘着性を有する樹脂から成る導水装置である。
【００１１】
また本発明は、前記補強部材が、折曲げ可能な金属製の網状体から成ることを特徴とする。
【００１２】
また本発明は、前記補強部材が、折曲げ可能な金属製の板状体から成ることを特徴とする。
【００１３】
また本発明は、前記固定手段が、前記導水カバー体を貫通して前記構造物に埋設されたアンカー体と、前記アンカー体に螺着され、前記導水カバー体を前記壁面部に押し付けて保持するねじ部材と、を有していることを特徴とする。
【００１４】
また本発明は、前記接合材が、粘着性を有する樹脂から成ることを特徴とする。
【発明の効果】
【００１５】
本発明によれば、導水カバー体はＪＩＳ Ｋ ６２４９に規定されたデュロメータＡ硬度計による硬さが、２０以上、８０以下のシリコーンゴム製の、厚さが０．４ｍｍ〜１．０ｍｍのシートから成る基材シートに、厚さ０．２〜０．５ｍｍの金属製の網状体から成る補強部材が粘着性を有する樹脂から成る接合材によって接合された構成であるので、構造物の凹凸を有する壁面であっても、補強部材を基材シートと共に壁面の凹凸に沿わせて折曲げ変形させ、水密な導水空間を形成し、壁面部からの漏水を導水空間によって排水溝などの排水設備へ導いて排水することができる。
【図面の簡単な説明】
【００１６】
【図１】本発明の一実施形態の導水装置１を示す水平断面図である。
【図２】導水装置１を図１の下方から見た一部の正面図である。
【図３】導水装置１が構造物２に取付けられた状態を示す断面図である。
【図４】導水カバー体４の構成を示す一部の拡大断面図である。
【図５】本発明の他の実施形態の導水装置に用いられる導水カバー体４ａの構成を示す一部の拡大断面図である。
【図６】本発明の他の実施形態の導水装置１ａの水平断面図である。
【図７】導水装置１を構造物２の入隅部に取付けた設置例を簡素化して示す水平断面図である。
【図８】導水装置を構造物の出隅部に取り付けた設置例を簡素化して示す水平断面図である。
【図９】本発明の他の実施形態の導水装置の一部を簡素化して示す斜視図である。
【図１０】導水装置を構造物の水平な壁面部に取付けた設置例を示す鉛直断面図である。
【図１１】本発明の他の実施形態の導水装置を構造物の段差部に取付けた設置例を簡素化して示す水平断面図である。
【図１２】図１２Ａは本発明の他の実施形態の導水装置を示す分解斜視図であり、図１２Ｂは本発明の他の実施形態の導水装置を示す簡素化した斜視図である。
【図１３】本発明の他の実施形態の導水装置を示す水平断面図である。
【発明を実施するための形態】
【００１７】
図１は本発明の一実施形態の導水装置１を示す水平断面図であり、図２は導水装置１を図１の下方から見た一部の正面図であり、図３は導水装置１が構造物２に取付けられた状態を示す断面図である。本実施形態の導水装置１は、構造物２の壁面部３に配設される、可撓性を有するシート状の導水カバー体４と、導水カバー体４を壁面部３に押付けて固定する固定手段５と、を含む。
【００１８】
本実施形態の構造物２は、トンネルの覆工コンクリート壁であって、地山７にコンクリートまたはコンクリートモルタルを吹付けて構築されている。そのため壁面部３は、トンネル内の道路空間９に臨んで凹凸状であり、一様な連続曲面および平面の存在しない不揃いな曲面および平面から成っている。
【００１９】
このような壁面部３には、本実施形態の導水カバー体４が設置され、コンクリート壁の目地または亀裂などの漏水箇所６から流出した漏水を、道路空間７に滴下しないように、路肩などに設けられる排水渠８へ導くことができるように構成されている。導水カバー体４の道路軸線Ｌ１方向の設置間隔に制限はなく、漏水の流出量、漏水箇所６などの現場の設置条件に応じて適宜決定される。
【００２０】
固定手段５としては、導水カバー体４を貫通して構造物２に打設された、ステンレス鋼製の複数のナベ頭コンクリートビスが用いられる。このようなナベ頭コンクリートビスに代えて、導水カバー体４を壁面部３に強固に固定する必要がある場合には、構造物２内に埋設される円筒部の軸線方向一端部に周方向に分断された複数の拡開片が一体的に形成され、円筒部の軸線方向他端部には外ねじが刻設された雄ねじ部を有する中空のアンカースリーブと、軸線方向一端部に拡開片に挿入される円錐台状のテーパ部が設けられるアンカーロッドと、アンカースリーブの雄ねじ部に螺着されるナットとを有する複数のアンカー体が用いられてもよい。
【００２１】
これらのアンカースリーブ、アンカーロッドおよびナットは、たとえばステンレス鋼から成る。このようなアンカー体は、構造物２にコンクリートドリルなどの穿孔工具によって穿孔して予め下穴を形成し、この下穴に前記アンカースリーブを打ち込むことによってテーパ部が拡開片を半径方向外方へ押し開いて拡開させ、拡開した拡開片が周囲のコンクリートに噛み込むことによって、アンカースリーブが構造物２に固定される。
【００２２】
図４は導水カバー体４の構成を示す一部の拡大断面図である。図１をも参照して、導水カバー体４は、可撓性を有する軟質の合成樹脂から成る２枚の基材シート１０ａ，１０ｂ（総称する場合には、添え字ａ，ｂを省略して「基材シート１０」と記す）と、一方の基材シート１０ａに積層され、固定手段５による壁面部３への押付け力によって変形可能な補強部材１１と、補強部材１１と基材シート１０ａとを接合する接合材１２ａと、を備えている。
【００２３】
補強部材１１は、例えば、一方の基材シート１０ａに塗布された接合材１２ａに押し付けることによって、厚みが約２ｍｍの補強部材１１を、厚みが約０．２５ｍｍ〜約１ｍｍの接合材１２ａを用いた場合、その厚みの１／３〜１／２が接合材１２に食い込んだ状態で接合されている。このような第１の積層シートには、他方の基材シート１０ｂの一表面に接合材１２ｂが塗布された第２の積層シートを、接合材１２ａ，１２ｂ同士が対向するように貼り付けることによって、各接合材１２ａ，１２ｂが実質的に一体化された、図１に示される導水カバー体４が形成される。
【００２４】
（基材シート）
基材シート１０の素材としては、例えば、耐熱性、耐候性および耐寒性に優れたシリコーンゴムを好適に用いることができる。耐熱性は、例えば２２５℃に加熱された状態を７２時間維持したときの硬さ変化が＋２％程度である。耐寒性としては、−３０℃でも凍結せず、寒冷地であっても使用可能である。このようなシリコーンゴムとしては、例えばシリコーンゴム組成物を硬化させることによって得られるシリコーンゴムを用いることができるが、ＪＩＳ Ｋ ６２４９に規定されたデュロメータＡ硬度計による硬さが、２０以上、８０以下、好ましくは５０以上、７０以下であるシリコーンゴムを用いることができる。硬さが２０未満であると、ゴムとしての強度が劣る場合があり、８０を超えると弾性が劣る場合がある。
【００２５】
基材シート１０の素材の他の例としては、耐候性、耐熱性および難燃性に優れたＣＲゴム、耐油性および耐薬品性に優れたＮＢＲゴム、耐油性および耐薬品性に優れたフッ素ゴム、耐候性、耐薬品性、耐熱性および耐老化性に優れたエチレンプロピレンゴム（ＥＰＴ）、耐酸性および耐アルカリ性に優れたブチルゴム（ＨＲ）、耐熱性および耐候性に優れたアクリルゴム（ＡＣＭまたはＡＮＮ）、および引張強度および引張弾性率に優れ、曲げに対する形状保持機能を有する超延伸ポリエチレンなどが挙げられる。
【００２６】
基材シート１０は、このような各種の素材のうち、導水装置１の取付け環境に適した特性を有する素材を選択し、幅が、例えば０．３ｍ、０．５ｍ、０．７ｍ、１．０ｍ、１．２ｍまたは１．５ｍ、厚さが０．４ｍｍ、０．６ｍｍ、０．８ｍｍまたは１．０ｍｍのシートとして商業的に入手可能である。超延伸ポリエチレンは、形状保持機能を有し、繰り返し鋭角に折り曲げても亀裂を生じることがなく、変形後の形状を維持することができるので、凹凸の高低差が大きい壁面部３であっても、壁面部３から大きく離れた、いわゆる浮きによる隙間を生じることなく、壁面部３の形状に沿って取り付けることができ、壁面部３に対して高い形状追従性を有する。
【００２７】
（補強部材）
補強部材１１は、金属製の網状体から成る。網状体素材としては、例えばステンレス鋼、アルミニウム合金などの引張強度および耐腐食性に優れたもの適宜選択して用いることができ、例えば厚さ０．２〜０．５ｍｍ程度の容易に折曲げることができる板状体を用いることができる。網状体としては、格子状および亀甲状などの織り形状または編み形状のものを適宜選択して用いることができる。
【００２８】
補強部材１１の他の素材としては、例えば、特殊変性ポリプロピレン樹脂または金属から成る糸条を、織製によって形成された網状の布、または単繊維を中空編みした外径が約１０ｍｍ程度の網状の筒体によって実現されてもよい。網状の布および筒体は、弾力性および屈曲性に富み、耐薬品性、耐寒性、耐水性および引張強さに優れ、軽量で基材シート１０の変形に対して高い追従性を有するので、壁面部３の凹凸に応じた薄手の基材シート１０の変形を許容し、柔軟に壁面部３の形状に沿って曲げ変形してフィットしやすく、優れた施工性を有する。また、補強部材１１として、前述の布ではなく、例えば開き目が１〜５ｍｍ程度の金属製または樹脂製のメッシュシートを採用してもよい。これによっても前述の布または筒体から成る補強部材と同様な効果を奏することができる。
【００２９】
このような構成によって、壁面部３から流れ出す漏水の流量、壁面部３の目地および亀裂などの漏水箇所６の幅および長さ、導水装置１の壁面部３からの突出量、導水装置１の幅などの各種の設置条件に応じて、導水カバー体４の本数および幅を変更して、断面幅の異なる導水空間を容易に実現することができ、設計上の自由度が高い導水装置１を実現することができる。
【００３０】
（接合材）
接合材１２は、シリコーンゲルから成る。シリコーンゲルの素材の一例としては、常温で液状から生ゴム状まで重合度の異なるものと用いることができる。重合度としては、ゲルパーミエーションクロマトグラフィ（ＧＰＣ）によるポリスチレン換算の平均重合度が５０〜２００００程度のものを用いることができる。他の実施形態では、接合材１２は、シリコーンゲルに代えて、エポキシ系樹脂またはブチルゴム系樹脂などの粘着性を有する樹脂であってもよい。
【００３１】
接合材１２は、２５ｍｍ〜２００ｍｍの試験片をＪＩＳ Ｃ ２１０７に規定された電気絶縁用粘着テープ試験方法に準じて、コンクリートモルタルの表面に乾燥状態で貼り付けたときの粘着力が１６〜１８Ｎ／２５ｍｍ、同じ試験片をアスファルト面に乾燥状態で貼り付けたときの粘着力が１２〜１４Ｎ／２５ｍｍを一週間発揮されるよう構成された粘着性を有する樹脂から成る接合材を用いるようにしてもよい。
【００３２】
接合材１１は、基材シート１０の一方の主面に塗布または印刷によって層状または膜状に付着させ、その上から補強部材１１を乗載し、補強部材１１が層状の接合材１２に粘着させた構成であってもよい。
【００３３】
以上のように本実施形態の導水装置１は、可撓性を有する長尺の導水カバー体４が構造物２の壁面部３に沿って配設され、漏水箇所６を含む壁面部３を覆うように貼着され、固定手段５によって壁面部３に固定されるので、凹凸のある壁面部３であっても、導水カバー体４は壁面部３の凹凸に沿って容易に折り曲げて柔軟に変形させた状態で取付けることができ、導水カバー体４と壁面部３との間に水密な導水空間１６を形成し、壁面部３の漏水箇所６からの漏水を導水空間１６によって排水渠８などの排水設備へ確実に導いて排水することができる。
【００３４】
導水カバー体４は、前述の基材シート１０に接合材によって補強部材が接合された多層シートとして形成することができる。多層シートの製造方法としては、例えば、インサート成形、ディッピング、コーティング、カレンダー成形、スクリーン印刷などの各種の成形方法を採用することができる。
【００３５】
図５は本発明の他の実施形態の導水装置に用いられる導水カバー体４の構成を示す一部の拡大断面図である。なお、本実施形態の導水カバー体は、図４に示される実施形態の導水カバー体に類似し、前述の実施形態と対応する部分には、同一の参照符を付す。本実施形態の導水装置１に用いられる導水カバー体４は、補強部材１１が折曲げ可能な金属製の板状体から成り、接合材１２によって接合して構成されてもよい。板状体は、壁面部３の凹凸に沿って容易に折曲げ可能であればよく、例えば、厚さが約０．２ｍｍ〜１．５ｍｍのステンレス鋼板、アルミニウム合金板および銅板などの金属板を、要求される強度、耐久性などに応じて適宜選択して用いることができる。
【００３６】
本発明に係る実施形態の導水装置１は、凹凸のある壁面部３に限らず、図６に示す平面状の壁面部３にも当然に、前述のアンカー体などの固定手段５によって固定し、設置が可能である。なお、図６において、前述の実施形態と対応する部分には、同一の参照符を付す。構造物２は、上記のトンネルの覆工コンクリート壁に限らず、その他の構造物、たとえば橋台、橋脚、擁壁などの各種のコンクリート構造物であってもよい。また、壁面部３の凹凸の形状、漏水の範囲、漏水の流出量などに応じて、各実施形態を組み合わせた態様も可能であり、上述と同様に高い水密性を有する導水空間１６を容易に構築することができる。
【００３７】
図７は導水装置１を構造物２の入隅部１８に取付けた設置例を簡素化して示す水平断面図であり、図８は導水装置１を構造物２の出隅部１９に取り付けた設置例を簡素化して示す水平断面図である。導水カバー体４は、可撓性を有するので、構造物２の壁面部３が、図７に示すように、該壁面部３に対向する側から見て壁面部３が離れる側に凹んだ入隅部１８であっても導水カバー体４を配置し、固定手段５によって導水カバー体４の幅方向両側部を角部２ａに関して両側の壁面部３に固定し、入隅部１８の壁面部３と導水カバー体４との間に導水空間１６を形成することができる。
【００３８】
また、構造物２の壁面部３が、図８に示すように、該壁面部３に対向する側から見て壁面部３が近づく側に突出した出隅部１９であっても、角部２ｂに関して両側の壁面部３に沿って導水カバー体４を配置し、固定手段５によって導水カバー体４の幅方向両側部を各壁面部３に固定し、出隅部１９の壁面部３と導水カバー体４との間に導水空間１６を形成することができる。
【００３９】
図９は本発明の他の実施形態の導水装置１ａの一部を簡素化して示す斜視図であり、図１０は導水装置１ａを構造物２の水平な壁面部３に取付けた設置例を示す鉛直断面図である。本実施形態の導水装置１ａは、横用導水カバー体４１と縦用導水カバー体４２と有する。横用導水カバー体４１は、平面視において矩形の底板４３と、底板４３の平行な長辺側の２辺に垂直に屈曲して連なる一対の台形状の側板４４ａ，４４ｂと、各側板４４ａ，４４ｂの底板４３とは反対側の短辺から互い離反する方向に突出した一対の長方形のフランジ部４５ａ，４５ｂとを有する。各フランジ部４５ａ，４５ｂは、前述の固定手段５によって、構造物２の天井を構成する壁面部３１に固定される。
【００４０】
縦用導水カバー体４２は、各側板４４ａ，４４ｂが長方形であつこと以外は前述の横用導水カバー体４１と同様に構成され、長手方向に同一断面を成す。この縦用導水カバー体４２もまた、各フランジ部４５ａ，４５ｂが固定手段５によって側壁を構成する壁面部３２に固定される。横用導水カバー体４１は、天井の壁面部３１に取付けられた状態において、底板４３は縦用導水カバー体４２に向かって下方へ傾斜した排水勾配を有し、壁面部３１からの漏水を縦用導水カバー体４２内へ排出することができる排水路を、容易に構築することができる。
【００４１】
図１１は本発明の他の実施形態の導水装置１ｂを構造物２の段差部に取付けた設置例を簡素化して示す水平断面図である。本実施形態の導水装置１ｂは、構造物２の２つの躯体２ａ，２ｂが目地等の漏水箇所６においてずれており、段差３９が形成されている場合であっても、導水カバー体４を段差３９に沿って折曲げて取付け、その両側部を固定手段５によって壁面部３にそれぞれ固定し、水密な導水空間１６によって排水路を容易に構築することができる。
【００４２】
図１２Ａは本発明の他の実施形態の導水装置１ｃを示す分解斜視図であり、図１２Ｂは本発明の他の実施形態の導水装置１ｃを示す簡素化した斜視図である。なお、前述の実施形態と対応する部分には、同一の参照符を付す、本実施形態の導水装置１ｃは、前述の図９に示す導水カバー体４１の下流端に配水管４５を接続した場合、図１２Ａに示すように、平坦な帯状の導水カバー体素材４ｄを準備し、導水カバー体素材４ｄに配水管４５を挿入するための孔４６を形成した後、折曲げ線４７で一方側にほぼ垂直に折り曲げることによって、図９に示す導水カバー体４１の端面４８に水密に接合することによって、図１２Ｂに示す配水管４５を備えた流路端末部を構築することができる。
【００４３】
このような流路端末部の配水管４５に下水管などの公共排水設備に別途に準備した排水パイプで接続することによって、凹凸のある壁面部３であっても、導水カバー体によって回収された水などを排水処理する排水路を容易に構築することができる。
【００４４】
図１３は本発明のさらに他の実施形態の導水装置を示す水平断面図である。なお、前述の各実施形態と対応する部分には、同一の参照符を付す。本実施形態の導水装置の導水カバー体４ｂは、可撓性を有する軟質の合成樹脂から成る１枚の基材シート１０ａと、基材シート１０ａに積層され、固定手段５による壁面部３への押付け力によって変形可能な１つの補強部材１１と、補強部材１１と基材シート１０ａとを接合する接合材１２ａと、を備えている。
【００４５】
このような構成によれば、前述の図１に示される実施形態の導水カバー体４に比べて、１枚の基材シート１０ａに接合材１２ａによって補強部材１１が積層状態で接合されているので、曲げ剛性が低く柔軟性に富み、高低差の大きい凹凸状の壁面部３に対してフィット性が高く、好適に実施することができる。凹凸状の壁面部３に対するフィット性は、導水カバー体の曲げ剛性を壁面部３の凹凸形状に応じて適切となるように決定すればよい。例えば、基材シート１０ａ，１０ｂの厚みを、出隅部では外側に位置する基材シートの厚みよりも、出隅部の内側に位置する基材シートの厚みを薄くすることによって、出隅部に沿って湾曲させやすくすることができるので、導水カバー体の壁面部３への取付け性を向上することができる。
【００４６】
また、本実施形態の導水カバー体は、接合材が露出しているので、導水カバー体を壁面部３に直接貼り付けて仮付けすることができる。これによって、固定手段によって導水カバー体が固定されるまで、導水カバー体が壁面部上でずれてしまうことが防がれ、取付け作業を行いやすく、取付け性に優れた導水装置を提供することがきる。
【００４７】
以上、本発明の実施形態について詳細に説明したが、また、本発明は上述の実施の形態に限定されるものではなく、本発明の要旨を逸脱しない範囲内において、種々の変更、改良等が可能である。上記各実施形態をそれぞれ構成する全部または一部を、適宜、矛盾しない範囲で組み合わせ可能であることは、言うまでもない。
【符号の説明】
【００４８】
１  導水装置
２  構造物
３  壁面部
４  導水カバー体
５  固定手段
６  漏水箇所
７  道路空間
８  排水渠
９  道路空間
１０  基材シート
１１  補強部材
１２；１２ａ，１２ｂ  接合材
１６  導水空間
１８  入隅部
１９  出隅部
３９  段差
４１  横用導水カバー体
４２  縦用導水カバー体
４３  底板
４４ａ，４４ｂ  側板
４５  配水管
４５ａ，４５ｂ  フランジ部
４８  端面
Ｌ１  道路軸線
【図１】
0006959674.tif 000002
【図２】
0006959674.tif 000003
【図３】
0006959674.tif 000004
【図４】
0006959674.tif 000005
【図５】
0006959674.tif 000006
【図６】
0006959674.tif 000007
【図７】
0006959674.tif 000008
【図８】
0006959674.tif 000009
【図９】
0006959674.tif 000010
【図１０】
0006959674.tif 000011
【図１１】
0006959674.tif 000012
【図１２Ａ】
0006959674.tif 000013
【図１２Ｂ】
0006959674.tif 000014
【図１３】
0006959674.tif 000015